(57)【要約】【課題】  テンションメンバの突き出しを抑制し、分岐作業性にも優れる光ファイバケーブルおよび光ファイバケーブルの分岐方法を提供する。【解決手段】  光ファイバ心線７、テンションメンバ９、フィルム状部材１３、支持線１５は、外被３によって一体化される。光ファイバケーブル１の断面略中央位置には、複数の光ファイバ心線７が互いに接触するように配置される。光ファイバ心線７の両側方には、一対のテンションメンバ９が設けられる。テンションメンバ９の外周部にはフィルム状部材１３が設けられる。フィルム状部材１３は、たとえば樹脂製であり、ポリオレフィン樹脂等を用いることができる。フィルム状部材１３は、テンションメンバ９の外周面の一部を覆うように設けられる。すなわち、テンションメンバ９は、一部がフィルム状部材１３で覆われ、他の部位が外被３と密着する。【選択図】図１
2014178442.tif 000002
【特許請求の範囲】
【請求項１】
複数の光ファイバ心線と、
断面において、前記光ファイバ心線の両側方に設けられるテンションメンバと、
前記テンションメンバおよび前記光ファイバ心線を覆うように設けられる外被と、
を具備し、
少なくとも前記テンションメンバの一部が、フィルム状部材で覆われるとともに、前記テンションメンバの他の部位が、前記外被と密着し、
前記テンションメンバの前記フィルム状部材で覆われた位置に対応する前記外被の外周部にはノッチが形成されることを特徴とする光ファイバケーブル。
【請求項２】
前記フィルム状部材は、両側の前記テンションメンバにまたがるように配置され、
前記フィルム状部材は、複数の前記光ファイバ心線が配列された外周部の外形に追従するように波形となり、前記フィルム状部材の両端部が、前記テンションメンバの外周の一部を覆うことを特徴とする請求項１記載の光ファイバケーブル。
【請求項３】
前記フィルム状部材の一方の面には接着層が形成され、前記接着層が前記外被と接着することを特徴とする請求項１または請求項２に記載の光ファイバケーブル。
【請求項４】
請求項１から請求項３のいずれかに記載の光ファイバケーブルを用い、
前記ノッチから、前記テンションメンバを覆う前記フィルム状部材まで前記外被を破断させることで、前記外被と前記テンションメンバと前記光ファイバ心線とを分離して、前記光ファイバ心線を取り出すことを特徴とする光ファイバケーブルの分岐方法。
【発明の詳細な説明】
【技術分野】
【０００１】
本発明は、分岐作業性に優れる光ファイバケーブルおよび光ファイバケーブルの分岐方法に関するものである。
【背景技術】
【０００２】
光ファイバケーブルは、光ファイバ心線およびテンションメンバが外被で被覆されたものが用いられている。使用時には、このような光ファイバ心線が分岐され、複数の住居等に配線される。
【０００３】
このような、光ファイバケーブルとしては、例えば、光ファイバ心線の両側に引張り及び圧縮に対する耐力を有するテンションメンバを平行に配して、ケーブル外被で一括被覆し、テンションメンバが配されていない側の光ファイバ心線の両側部に、ケーブル外被とは接着一体化されず、光ファイバ心線の配列幅より幅広で、光ファイバ心線に接触するように合成樹脂製の剥離テープを配した光ファイバケーブルがある（特許文献１）。
【先行技術文献】
【特許文献】
【０００４】
【特許文献１】特開２００８−７０６０１号公報
【発明の概要】
【発明が解決しようとする課題】
【０００５】
前述した特許文献１は、複数の光ファイバ心線が並列されるが、中央近傍の光ファイバ心線は、防護壁と隣り合う光ファイバ心線とが点接触となる。このため、外被に対する光ファイバ心線の引き抜き力が小さくなる。したがって、光ファイバ心線が外被に対して動きやすい。この結果、光ファイバケーブルの先端から、光ファイバ心線の突き出しや引き込みなどが生じる恐れがある。
【０００６】
本発明は、このような問題に鑑みてなされたもので、心線およびテンションメンバの突き出しを抑制し、分岐作業性にも優れる光ファイバケーブルおよび光ファイバケーブルの分岐方法を提供することを目的とする。
【課題を解決するための手段】
【０００７】
前述した目的を達するために第１の発明は、複数の光ファイバ心線と、断面において、前記光ファイバ心線の両側方に設けられるテンションメンバと、前記テンションメンバおよび前記光ファイバ心線を覆うように設けられる外被と、を具備し、少なくとも前記テンションメンバの一部が、フィルム状部材で覆われるとともに、前記テンションメンバの他の部位が、前記外被と密着し、前記テンションメンバの前記フィルム状部材で覆われた位置に対応する前記外被の外周部にはノッチが形成されることを特徴とする光ファイバケーブルである。
【０００８】
前記フィルム状部材は、両側の前記テンションメンバにまたがるように配置され、前記フィルム状部材は、複数の前記光ファイバ心線が配列された外周部の外形に追従するように波形となり、前記フィルム状部材の両端部が、前記テンションメンバの外周の一部を覆うことが望ましい。
【０００９】
前記フィルム状部材の一方の面には接着層が形成され、前記接着層が前記外被と接着することが望ましい。
【００１０】
第１の発明によれば、テンションメンバの外周の一部がフィルム状部材で覆われるため、工具によってノッチからテンションメンバに向かって切り込みを入れた場合、切り込みはいずれとも密着していないフィルム状部材に到達するため、外被を分割することができる。このため、中間後分岐作業において、心線を容易に取り出すことができる。また、テンションメンバの一部は外被と密着するため、テンションメンバの突き出しを防止することができる。
【００１１】
また、フィルム状部材が光ファイバ心線の外形に沿って波形に変形して光ファイバ心線と接触させることで、光ファイバ心線とフィルム状部材が面接触となり、外被に対する光ファイバ心線の引き抜き力を高めることができる。また、光ファイバ心線と外被とが直接接触しないため、中間後分岐作業において、光ファイバ心線の分岐が容易である。
【００１２】
また、フィルム状部材の一方の面に接着層を形成し、外被とフィルム状部材とを接着させることで、中間後分岐作業において、フィルム状部材と外被とを一体で分割することができる。
【００１３】
第２の発明は、第１の発明にかかる光ファイバケーブルを用い、前記ノッチから、前記テンションメンバを覆う前記フィルム状部材まで前記外被を破断させることで、前記外被と前記光ファイバ心線とを分離して、前記光ファイバ心線を取り出すことを特徴とする光ファイバケーブルの分岐方法である。
【００１４】
第２の発明によれば、光ファイバケーブルの分割作業において、心線と外被との分離が容易であり、容易に分岐作業を行うことができる。
【発明の効果】
【００１５】
本発明によれば、テンションメンバの突き出しを抑制し、分岐作業性にも優れる光ファイバケーブルおよび光ファイバケーブルの分岐方法を提供することができる。
【図面の簡単な説明】
【００１６】
【図１】光ファイバケーブル１の断面図であり、（ａ）は全体図、（ｂ）はテンションメンバ９近傍の断面拡大図。
【図２】光ファイバケーブル１を分割する方法を示す図で、（ａ）は支持線部側とケーブル部側とを分離した状態を示す図、（ｂ）は外被３等を分割した状態を示す図。
【図３】光ファイバケーブル１ａの断面図。
【図４】光ファイバケーブル１ａの外被３等を分割した状態を示す図。
【発明を実施するための形態】
【００１７】
以下、図面を参照しながら、本発明の実施形態について説明する。図１は、光ファイバケーブル１の断面図であり、図１（ａ）は全体図、図１（ｂ）はテンションメンバ９近傍の断面拡大図である。光ファイバケーブル１は、外被３、光ファイバ心線７、テンションメンバ９、フィルム状部材１３、支持線１５等により構成される。
【００１８】
光ファイバ心線７、テンションメンバ９、フィルム状部材１３、支持線１５は、外被３によって一体化される。外被３は、例えば難燃性ポリオレフィン系樹脂製である。外被３の外周には、ノッチ１１が形成される。ノッチ１１は、例えばケーブル分割工具などによって、光ファイバケーブル１を分割する起点部となる。
【００１９】
光ファイバケーブル１の断面略中央位置には、複数の光ファイバ心線７が互いに接触するように配置される。光ファイバ心線７は、例えば、図示したように一列に併設されてもよく、複数列×複数段に俵積みされてもよい。なお、図１（ａ）では、一列８本の光ファイバ心線７を配置した例を示すが、光ファイバ心線７の配置数は特に限定されない。
【００２０】
光ファイバ心線７の両側方には、一対のテンションメンバ９が設けられる。テンションメンバ９は、光ファイバケーブル１の張力を負担する。テンションメンバ９は、例えば鋼線、モノフィラメント、アラミド繊維、ガラス繊維、ＰＥＴ繊維等による繊維補強プラスチック等が使用でき、望ましくは亜鉛メッキ鋼線を使用することができる。テンションメンバ９は、併設された両端の光ファイバ心線７と接触するように配置される。
【００２１】
テンションメンバ９の外周部にはフィルム状部材１３が設けられる。フィルム状部材１３は、たとえば樹脂製であり、ポリオレフィン樹脂等を用いることができる。フィルム状部材１３は、外被３の押し出し時においても、光ファイバ心線７やテンションメンバ９等と密着せず、容易に剥離可能なものが望ましい。なお、フィルム状部材１３を構成する樹脂の軟化点（融点）は、外被３の押し出し温度よりも高い。また、フィルム状部材１３の厚みは、例えば０．０１２ｍｍ以上であることが望ましい。フィルム状部材１３が薄すぎると、外被３の押し出し被覆の際に、フィルム状部材１３が破断する恐れがあるためである。
【００２２】
フィルム状部材１３は、テンションメンバ９の外周面の一部を覆うように設けられる。すなわち、テンションメンバ９は、一部がフィルム状部材１３で覆われ、他の部位が外被３と密着する。なお、フィルム状部材１３は、テンションメンバ９の内側を覆うように配置され、光ファイバ心線７は、フィルム状部材１３を介してテンションメンバ９と接触する。
【００２３】
図１（ｂ）に示すように、テンションメンバ９は、外被３の上下面におけるノッチ１１を結ぶ線上（図中Ａ）に配置される。すなわち、ノッチ１１は、テンションメンバ９に対応する位置の外被３の外周部に設けられる。このように、上下のノッチ１１から外被３を破断させる際に、切れ込みがテンションメンバ９の外周部に達するようにノッチ１１およびテンションメンバ９が配置される。この際、ノッチ１１を結ぶ線上には、テンションメンバ９を覆うフィルム状部材１３が位置する。すなわち、フィルム状部材１３は、テンションメンバ９の内側から１８０°以上の範囲を被覆し、テンションメンバ９と外被３との密着部（フィルム状部材１３で覆われていない部位）は、ノッチ１１を結ぶ線よりも外方に位置する。
【００２４】
光ファイバ心線７が設けられるケーブル部には、支持線部が連結される。支持線部には、支持線１５が設けられる。支持線１５は、光ファイバケーブル１を敷設する際に、光ファイバケーブル１を支持するためのものである。支持線１５は、例えば亜鉛メッキ鋼線を使用することができる。
【００２５】
次に、本発明にかかる光ファイバケーブル１を用いた分岐方法について説明する。まず、図２（ａ）に示すように、支持線部とケーブル部とを分割する。また、ノッチ１１には、分割工具の切断刃２３が配置される。
【００２６】
この状態から、切断刃２３をテンションメンバ９まで挿入して、外被３のノッチ１１を長手方向に切断する。このようにすることで、図２（ｂ）に示すように上下左右の外被３が分割され（図中矢印Ｂ方向およびＣ方向）、テンションメンバ９および光ファイバ心線７が外被３から分割される。
【００２７】
この際、切断刃２３による切れ込みは、フィルム状部材１３の位置であるため、テンションメンバ９が、上下の外被３側に持っていかれることがない。また、テンションメンバ９は、左右の外被３と密着するため、左右の外被３と一体で分離される。
【００２８】
また、フィルム状部材１３は、テンションメンバ９と接着等していないため、テンションメンバ９は、外被３との密着部のみで外被と密着する。なお、光ファイバ心線７は、互いに接触するように配置される。また、両端の光ファイバ心線７は、テンションメンバ９と接触する。このため、外被３を押し出し被覆した際に、外被３の樹脂が光ファイバ心線７の全周の１８０°以上に回り込むことがない。したがって、光ファイバ心線７が外被３に埋め込まれることがない。このため、光ファイバ心線７を容易に取り出すことができる。
【００２９】
このように、本実施形態によれば、テンションメンバ９の一部が外被３と密着するため、テンションメンバ９の突き出しを防止することができる。
【００３０】
次に、第２の実施の形態について説明する。図３は、光ファイバケーブル１ａを示す断面図である。なお、以下の説明において、光ファイバケーブル１等と同一の機能を奏する構成については、図１等と同一の符号を付し、重複する説明を省略する。
【００３１】
光ファイバケーブル１ａは、光ファイバケーブル１とほぼ同様の構成であるが、フィルム状部材１３が一対のテンションメンバ９にまたがるように、光ファイバ心線７の上下に配置される点で異なる。
【００３２】
フィルム状部材１３は、テンションメンバ９の一部を覆うとともに、複数の光ファイバ心線７を覆うように配置される。この際、フィルム状部材１３は、複数の光ファイバ心線７が併設された外形に追従するように、光ファイバ心線の外周面に沿って変形する。すなわち、フィルム状部材１３は、光ファイバ心線７の外形に沿って波形に変形する。このため、フィルム状部材１３を、それぞれの光ファイバ心線７と面接触させることができる。
【００３３】
このようにフィルム状部材１３を光ファイバ心線７に沿って変形させるためには、フィルム状部材１３の厚みは、０．１５ｍｍ以下であることが望ましい。フィルム状部材１３の厚みが厚すぎると、フィルム状部材１３が光ファイバ心線７に沿って変形できず、フィルム状部材１３と光ファイバ心線７との接触面積を確保することが困難となるためである。
【００３４】
なお、両端の光ファイバ心線７は、フィルム状部材１３を介さずに、直接テンションメンバ９と接触する。また、テンションメンバ９の一部がフィルム状部材１３で覆われ、ノッチ１１を結ぶ線上よりも外方で、テンションメンバ９と外被３とが密着する点は、光ファイバケーブル１と同様である。
【００３５】
図４は、光ファイバケーブル１ａについて、外被３を分割した状態を示す図である。前述したように、ノッチ１１から切断刃２３をテンションメンバ９まで挿入して、外被３のノッチ１１を長手方向に切断する。このようにすることで、上下左右の外被３が分割され（図中矢印Ｄ方向およびＥ方向）、テンションメンバ９および光ファイバ心線７が外被３から分割される。
【００３６】
ここで、フィルム状部材１３は、外被３と接着させなくてもよいが、フィルム状部材１３の外面（外被３との接触部側）に接着層を形成することで、外被３とフィルム状部材１３とを接着することができる。このようにすると、図示したように、フィルム状部材１３と外被３と一体で分割することができる。
【００３７】
また、フィルム状部材１３は、テンションメンバ９とは接着等していないため、テンションメンバ９は、外被３との密着部のみで外被３と密着する。このため外被３の収縮をテンションメンバ９で抑えることができる。また、同様に、フィルム状部材１３は、光ファイバ心線７とは接着等していないため、光ファイバ心線７と外被３とは容易に分離することができる。
【００３８】
第２の実施の形態によれば、第１の実施の形態と同様の効果を得ることができる。また、光ファイバ心線７の外被３に対する引き抜き力を確保したまま、光ファイバ心線７と外被３の分離を容易に行うことができる。
【００３９】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４０】
１、１ａ………光ファイバケーブル
３………外被
７………光ファイバ心線
９………テンションメンバ
１１………ノッチ
１３………フィルム状部材
１５………支持線
２３………切断刃
【図１】
2014178442.tif 000003
【図２】
2014178442.tif 000004
【図３】
2014178442.tif 000005
【図４】
2014178442.tif 000006